(57)【特許請求の範囲】
【請求項１】
複数の端末それぞれで入力された操作に基づいて表示を制御する表示制御方法であって、
前記端末における操作による新たな表示位置と前記複数の端末の大多数で表示されている基準となる表示位置との関係に応じて表示の更新を完了するタイミングを異ならせることを特徴とする表示制御方法。
【請求項２】
前記複数の端末それぞれの現在の表示位置から基準となる表示位置を求めるステップと、
表示位置の変更要求を入力するステップと、
前記変更要求に基づいて新たな表示位置を求めるステップと、
前記新たな表示位置と前記基準となる表示位置に基づいて表示を更新するタイミングを求めるステップと、
前記タイミングで表示の更新が完了するように表示を更新するステップと、
を有することを特徴とする請求項１記載の表示制御方法。
【請求項３】
前記タイミングを求めるステップは、前記新たな表示位置が前記基準となる表示位置から離れる場合は、前記新たな表示位置が前記基準となる表示位置へ近づくときよりも前記タイミングを遅くすることを特徴とする請求項２記載の表示制御方法。
【請求項４】
複数の端末それぞれで入力された操作に基づいて各端末の表示を制御する表示制御装置であって、
前記複数の端末それぞれの現在の表示位置から基準となる表示位置を求める基準算出手段と、
前記端末から表示位置の変更要求を受信する受信手段と、
前記変更要求に基づいて新たな表示位置を求めるとともに、当該新たな表示位置と前記基準となる表示位置に基づいて表示を更新するタイミングを求めて、前記タイミングで表示の更新が完了するように前記端末へ表示の更新を指示する表示更新手段と、
を有することを特徴とする表示制御装置。
【請求項５】
前記表示更新手段は、前記新たな表示位置が前記基準となる表示位置から離れる場合は、前記新たな表示位置が前記基準となる表示位置へ近づくときよりも前記タイミングを遅くすることを特徴とする請求項４記載の表示制御装置。
【請求項６】
請求項１乃至３のいずれかに記載の表示制御方法をコンピュータに実行させることを特徴とする表示制御プログラム。
【発明の詳細な説明】
【技術分野】
【０００１】
本発明は、デジタルコンテンツの表示を制御する技術に関する。
【背景技術】
【０００２】
各ユーザが利用する複数の端末にプレゼン資料を配布し、ユーザが端末を操作して自由にプレゼン資料を閲覧するサービスが存在する。
【０００３】
ユーザが自由に資料を閲覧できる場合、大多数のユーザが閲覧しているページと異なるページを閲覧しているユーザは議題の内容を十分に理解することができず、議論についていくことができない可能性がある。
【０００４】
この問題に対して、非特許文献１では、協調ブラウジングを行う各端末での操作を他の端末に通知することによって、各端末のユーザに他のユーザの行動を把握させている。例えば、検索クエリ、マウスポインタの動き、閲覧中のＷｅｂページなどの情報を、色を用いてユーザ毎に識別可能な状態で各端末に通知している。
【先行技術文献】
【非特許文献】
【０００５】
【非特許文献１】Saleema Amershi and Meredith Ringel Morris, “CoSearch: A System for Co-located Collaborative Web Search”, CHI2008, pp.1647-1656
【発明の概要】
【発明が解決しようとする課題】
【０００６】
しかしながら、非特許文献１では、各ユーザは他のユーザがそれぞれ何をしているのかを自分で逐次確認しなければならず、他のユーザの操作を意識しておかなければ他のユーザの行動を瞬時に把握することは難しいという問題があった。
【０００７】
本発明は、上記に鑑みてなされたものであり、複数の端末で同じコンテンツを閲覧する場合に、他の大多数のユーザが閲覧している箇所を容易に把握可能とすることを目的とする。
【課題を解決するための手段】
【０００８】
第１の本発明に係る表示制御方法は、複数の端末それぞれで入力された操作に基づいて表示を制御する表示制御方法であって、前記端末における操作による新たな表示位置と前記複数の端末の大多数で表示されている基準となる表示位置との関係に応じて表示の更新を完了するタイミングを異ならせることを特徴とする。
【０００９】
上記表示制御方法において、前記複数の端末それぞれの現在の表示位置から基準となる表示位置を求めるステップと、表示位置の変更要求を入力するステップと、前記変更要求に基づいて新たな表示位置を求めるステップと、前記新たな表示位置と前記基準となる表示位置に基づいて表示を更新するタイミングを求めるステップと、前記タイミングで表示の更新が完了するように表示を更新するステップと、を有することを特徴とする。
【００１０】
上記表示制御方法において、前記タイミングを求めるステップは、前記新たな表示位置が前記基準となる表示位置から離れる場合は、前記新たな表示位置が前記基準となる表示位置へ近づくときよりも前記タイミングを遅くすることを特徴とする。
【００１１】
第２の本発明に係る表示制御装置は、複数の端末それぞれで入力された操作に基づいて各端末の表示を制御する表示制御装置であって、前記複数の端末それぞれの現在の表示位置から基準となる表示位置を求める基準算出手段と、前記端末から表示位置の変更要求を受信する受信手段と、前記変更要求に基づいて新たな表示位置を求めるとともに、当該新たな表示位置と前記基準となる表示位置に基づいて表示を更新するタイミングを求めて、前記タイミングで表示の更新が完了するように前記端末へ表示の更新を指示する表示更新手段と、を有することを特徴とする。
【００１２】
上記表示制御装置において、前記表示更新手段は、前記新たな表示位置が前記基準となる表示位置から離れる場合は、前記新たな表示位置が前記基準となる表示位置へ近づくときよりも前記タイミングを遅くすることを特徴とする。
【００１３】
第３の本発明に係る表示制御プログラムは、上記表示制御方法をコンピュータに実行させることを特徴とする。
【発明の効果】
【００１４】
本発明によれば、複数の端末で同じコンテンツを閲覧する場合に、他の大多数のユーザが閲覧している箇所を容易に把握可能とすることができる。
【図面の簡単な説明】
【００１５】
【図１】本実施の形態における表示制御装置を含む全体構成図である。
【図２】端末でスライドを表示する例を示す図である。
【図３】基準となる表示位置を求める処理の流れを示すフローチャートである。
【図４】端末の表示を制御する処理の流れを示すフローチャートである。
【図５】端末でＷｅｂページなどの縦に長い文書を表示するときの例を示す図である。
【図６】端末で地図などの上下左右に自由にスクロールできるコンテンツを表示するときの例を示す図である。
【図７】本実施の形態における表示制御装置が取得したＷｅｂコンテンツの一部を各端末へ配信して表示させるシステムの全体構成図である。
【発明を実施するための形態】
【００１６】
以下、本発明の実施の形態について図面を用いて説明する。
【００１７】
図１は、本実施の形態における表示制御装置１を含む全体構成図である。同図に示す表示制御装置１は、複数の端末２Ａ〜２Ｃを接続し、各端末２Ａ〜２Ｃの表示部２２で表示されるコンテンツの表示を制御する装置である。
【００１８】
端末２Ａ〜２Ｃは、入力部２１、表示部２２、および通信部２３を備える。
【００１９】
入力部２１はユーザからの指示を入力する。例えばマウスやタッチパネルなどの入力装置を備え、コンテンツの表示位置を変更する操作を入力し、通信部２３を介して表示位置の変更要求を表示制御装置１へ送信する。
【００２０】
表示部２２は、コンテンツを表示するとともに、コンテンツの現在の表示位置を示す表示位置情報を通信部２３を介して表示制御装置１へ送信する。表示位置情報としては、例えば、各端末２Ａ〜２Ｃで表示するコンテンツがスライドである場合は表示しているスライドのページ番号が考えられる。
【００２１】
また、表示部２２は、表示制御装置１から表示の更新指示を受信し、表示を更新する。表示するコンテンツは、端末２Ａ〜２Ｃが備える記憶装置に蓄積したものであってもよいし、表示位置を更新するときに表示制御装置１から受信してもよい。
【００２２】
通信部２３は、表示制御装置１との間で通信を行う。
【００２３】
表示制御装置１は、登録部１１、管理部１２、基準判定部１３、および表示更新部１４を備える。
【００２４】
登録部１１は、各端末２Ａ〜２Ｃから表示位置情報を受信して管理部１２に登録する。
【００２５】
管理部１２は、各端末２Ａ〜２Ｃの表示位置情報を端末毎に管理する。
【００２６】
基準判定部１３は、管理部１２から各端末２Ａ〜２Ｃの表示位置情報を読み出して表示位置情報を統計処理し、各端末２Ａ〜２Ｃの大多数が表示している表示箇所である基準となる表示位置を判定する。
【００２７】
具体例を用いて基準となる表示位置について説明する。図２は、各端末２Ａ〜２Ｃの表示部２２にスライド２０１を表示する例を示す図である。図２の例では、端末２Ａ，２Ｂはスライドの７ページを表示しており、端末２Ｃはスライドの３ページを表示している。図示していない他の端末の多くも７ページを表示しているとする。この場合、大多数の端末２Ａ，２Ｂが表示している７ページを基準となる表示位置とする。
【００２８】
表示更新部１４は、各端末２Ａ〜２Ｃから表示位置の変更要求を受信したときに、変更要求に基づいて新たな表示位置を求めるとともに、新たな表示位置と基準判定部１３の求めた基準となる表示位置に基づいて表示を更新するタイミングを求め、求めたタイミングで表示の更新が完了するように端末に対して表示の更新を指示する。本実施の形態では、端末２Ａ〜２Ｃから受信した変更要求が、基準となる表示位置から端末２Ａ〜２Ｃの表示位置を遠ざける要求である場合は、基準となる表示位置に表示位置を近づける要求と比べて、表示が更新されるタイミングが遅くなるように表示の更新を指示する。
【００２９】
図２の例を用いて表示の更新について説明する。図２のスライド２０１には、戻るボタン２０２と進むボタン２０３が配置されている。ユーザが戻るボタン２０２を操作するとスライド２０１のページが戻り、進むボタン２０３を操作するとスライドのページが進む。端末２Ａ〜２Ｃにおいて戻るボタン２０２、進むボタン２０３が操作されると、端末２Ａ〜２Ｃは、操作されたボタンに対応した表示位置の変更要求を表示制御装置１へ送信する。具体的には、戻るボタン２０２が操作された場合、スライドのページを戻す要求が表示制御装置１へ送信され、進むボタン２０３が操作された場合、スライドのページを進める要求が表示制御装置１へ送信される。
【００３０】
図２の例では、基準となる表示位置が７ページで、端末２Ｃの現在の表示位置が３ページである。端末２Ｃにおいて戻るボタン２０２が操作された場合、端末２Ｃから表示制御装置１へスライドのページを戻す要求が送信される。戻るボタン２０２の操作により端末２Ｃの新たな表示位置は２ページとなり、端末２Ｃの新たな表示位置は基準となる表示位置から離れる方向に移動する。そのため、この要求に対する表示の更新は通常よりも表示の更新が遅くなるように処理する。表示の更新を遅くする処理としては、例えば、要求を受信してから数秒待った後に端末２Ｃに対して表示の更新を指示する。あるいはスライドにワイプなどのページ切り替え効果が設定されている場合は、ページ切り替え効果にかかる時間を通常よりも長くする。
【００３１】
表示制御装置１、端末２Ａ〜２Ｃが備える各部は、演算処理装置、記憶装置等を備えたコンピュータにより構成して、各部の処理がプログラムによって実行されるものとしてもよい。このプログラムは表示制御装置１、端末２Ａ〜２Ｃが備える記憶装置に記憶されており、磁気ディスク、光ディスク、半導体メモリ等の記録媒体に記録することも、ネットワークを通して提供することも可能である。
【００３２】
次に、本実施の形態における表示制御装置１の動作について説明する。
【００３３】
図３は、基準となる表示位置を求める処理の流れを示すフローチャートである。
【００３４】
登録部１１は、端末２Ａ〜２Ｃから表示位置情報を受信すると管理部１２に登録する（ステップＳ１１）。端末２Ａ〜２Ｃは、定期的に、あるいはコンテンツの表示位置を更新したときに、表示位置情報を表示制御装置１へ送信する。もしくは、端末２Ａ〜２Ｃから表示位置情報を受信せずに、表示更新部１４が求めて端末２Ａ〜２Ｃへ通知した新たな表示位置を現在の表示位置として管理部１２に登録してもよい。
【００３５】
基準判定部１３は、管理部１２から表示位置情報を読み出して基準となる表示位置を算出する（ステップＳ１２）。基準となる表示位置の算出方法としては、同じ箇所（例えばスライドの場合は同じページ）を表示している端末２Ａ〜２Ｃの数の割合が閾値以上となる場合に、その箇所を基準となる表示位置とする。あるいは、最も多くの端末２Ａ〜２Ｃで表示されている箇所を基準となる表示位置としてもよい。
【００３６】
基準となる表示位置の算出は、端末２Ａ〜２Ｃから表示位置情報を受信する毎に行ってもよいし、基準判定部１３が所定の間隔で行ってもよい。
【００３７】
図４は、端末２Ａ〜２Ｃの表示を制御する処理の流れを示すフローチャートである。
【００３８】
表示更新部１４は、端末２Ａ〜２Ｃから表示位置の変更要求を受信すると（ステップＳ２１）、その変更要求が、表示位置を基準となる表示位置から離れる方向に移動する操作であるか否か判定する（ステップＳ２２）。
【００３９】
受信した変更要求が基準となる表示位置から離れる方向に移動する操作である場合（ステップＳ２２のＹＥＳ）、表示の更新の完了を遅くする（ステップＳ２３）。具体的には、端末２Ａ〜２Ｃで表示しているコンテンツがスライドなどのページ単位で表示位置が変更されるものである場合は、要求されたページへ切り替えるタイミングを遅くする。端末２Ａ〜２Ｃで表示しているコンテンツがスクロールするものである場合は、スクロール量を少なくしたり、スクロール速度を遅くする。
【００４０】
そして、変更要求を送信した端末に対して表示の更新を指示する（ステップＳ２４）。表示の更新指示としては、表示すべきスライドのページを通知する、あるいは表示すべきスライドのページのデータを送信する方法がある。
【００４１】
なお、図４の処理は、端末２Ａ〜２Ｃがユーザの操作に基づく変更要求を表示制御装置１へ送信し、表示制御装置１が行う例で説明したが、図４の処理を端末２Ａ〜２Ｃで行うものでもよい。具体的には、表示制御装置１が基準となる表示位置を求めて各端末２Ａ〜２Ｃに送信し、各端末２Ａ〜２Ｃが基準となる表示位置を受信するように構成しておき、各端末２Ａ〜２Ｃに表示更新部１４を持たせておく。ユーザにより端末２Ａ〜２Ｃが操作されると、端末２Ａ〜２Ｃはユーザの操作に基づいて新たな表示位置を求め、新たな表示位置と基準となる表示位置に基づいて表示を更新するタイミングを求めて、求めたタイミングで表示の更新が完了するように、表示位置を更新する。端末２Ａ〜２Ｃは表示位置を更新すると、現在の表示位置を表示制御装置１へ送信する。
【００４２】
さらに、表示制御装置１を配置せずに、基準となる表示位置を端末２Ａ〜２Ｃそれぞれで求めて、各端末２Ａ〜２Ｃ自身が表示制御を行ってもよい。具体的には、端末２Ａ〜２Ｃが表示制御装置１の登録部１１、管理部１２、および基準判定部１３をさらに備え、端末２Ａ〜２Ｃ間で現在の表示位置をお互いに送受信し、端末２Ａ〜２Ｃそれぞれで基準となる表示位置を求めるように構成する。各端末２Ａ〜２Ｃは、図３の処理により基準となる表示位置を求める。ユーザにより端末２Ａ〜２Ｃが操作されると、上記で説明したように、図４の処理を行って各端末２Ａ〜２Ｃは表示位置を更新する。なお、すべての端末２Ａ〜２Ｃが表示制御装置１の各部を備えてもよいし、端末２Ａ〜２Ｃのいずれかが表示制御装置１の各部を備えるものでもよい。
【００４３】
次に、スライド以外のコンテンツの表示を制御する例について説明する。
【００４４】
図５は、端末２Ａ〜２ＣでＷｅｂページなどの縦に長い文書を表示するときの例を示す図である。
【００４５】
端末２Ａ〜２Ｃの表示部２２には、Ｗｅｂページ２１０が表示される。Ｗｅｂページ２１０は、縦に長い文書で一画面内に収まりきらないので、Ｗｅｂページ２１０の横にスクロールバー２１１が配置される。ユーザは、スクロールバー２１１を操作することでＷｅｂページ２１０の表示位置を変更することができる。例えばスクロールバー２１１を上方向に操作した場合、端末２Ａ〜２Ｃから表示制御装置１へＷｅｂページ２１０の現在の表示箇所をより上へ変更する要求が送信され、表示制御装置１は新たな表示位置等を算出して表示の更新指示を端末２Ａ〜２Ｃへ返し、端末２Ａ〜２Ｃの表示部２２は、Ｗｅｂページ２１０のより上部を表示する。
【００４６】
Ｗｅｂページなどの上下あるいは左右にスクロール可能なコンテンツの場合、表示位置情報として、例えばＷｅｂページのトップを基準としてＷｅｂページ全体を１００％としたときの現在の表示位置を示すトップからの割合やＨＴＭＬファイル内のＩＤタグを用いる。
【００４７】
基準となる表示位置についても、表示位置情報として用いたＷｅｂページのトップからの割合やＩＤタグを用いる。図５の例の場合、端末２Ａ，２Ｂは「第３章」を表示し、端末２Ｃは「第４章」を表示しているので、大多数の端末２Ａ，２Ｂが表示している「第３章」が基準となる表示位置となる。
【００４８】
「第４章」を表示している端末２Ｃでスクロールバー２１１が操作されたとき、スクロールバー２１１が上方向に操作された場合は、表示位置が基準となる表示位置である「第３章」に近づくのでＷｅｂページ２１０のスクロール速度を速く、あるいは通常の速度のまま変更しない。スクロールバー２１１が下方向に操作された場合は、表示位置が「第３章」から離れるのでスクロール速度を遅くする。
【００４９】
図６は、端末２Ａ〜２Ｃで地図などの上下左右に自由にスクロールできるコンテンツを表示するときの例を示す図である。
【００５０】
端末２Ａ〜２Ｃの表示部２２には地図２２０の一部が表示される。ユーザは、マウスなどを操作して地図２２０をドラッグすることで地図２２０の表示位置を変更することができる。ユーザが地図２２０をドラッグしたときに、ドラッグした方向と移動量が端末２Ａ〜２Ｃから表示制御装置１へ送信される。表示制御装置１はドラッグの方向と移動量に基づいて新たな表示位置等を算出して表示の更新指示を端末２Ａ〜２Ｃへ返し、端末２Ａ〜２Ｃの表示部２２は、新たな表示位置で地図２２０の表示を更新する。
【００５１】
端末２Ａ〜２Ｃで表示するコンテンツが地図など上下左右に自由にスクロールできる場合、表示位置情報として緯度経度や位置座標を用いる。基準となる表示位置についても緯度経度や位置座標を用いる。
【００５２】
図６の例では、星印の付いた建物の位置を基準となる表示位置とする。基準となる表示位置の右上を表示している端末２Ｃでユーザにより地図２２０がドラッグされたとき、ドラッグして地図２２０の表示位置が左下方向に移動する場合は、地図２２０の表示位置が基準となる表示位置に近づくので地図２２０のスクロール速度を速く、あるいは通常の速度のまま変更しない。地図２２０の表示位置が右上方向に移動する場合は、地図２２０の表示位置が基準となる表示位置から離れるので地図２２０のスクロール速度を遅くする。
【００５３】
次に、Ｗｅｂコンテンツを複数の端末２Ａ〜２Ｃで閲覧する実施例について説明する。
【００５４】
図７は、本実施の形態における表示制御装置１が取得したＷｅｂコンテンツの一部を、表示制御装置１が各端末２Ａ〜２Ｃへ配信して表示させるシステムの全体構成図である。
【００５５】
表示制御装置１は、サーバなどからＷｅｂコンテンツを取得し、取得したＷｅｂコンテンツの一部を各端末２Ａ〜２Ｃへ送信してＷｅｂコンテンツの一部を表示させる。図１で示した登録部１１、管理部１２、基準判定部１３、および表示更新部１４は、表示制御装置１が取得したＷｅｂコンテンツに含まれるＪａｖａＳｃｒｉｐｔ（登録商標）をスクリプト実行部１５が実行することによって構成される。各端末２Ａ〜２Ｃとの間の通信は、ＷｅｂＳｏｃｋｅｔなどで通信部１６を構成して行う。
【００５６】
端末２Ａ〜２Ｃは、携帯端末などで動作するブラウザで構成する。受信部２４は、表示制御装置１からＷｅｂコンテンツの一部を受信して記憶部２６に格納する。通知部２５は、ユーザの操作などにより発生したイベントを表示制御装置１へ通知する。記憶部２６は、表示制御装置１から受信したＷｅｂコンテンツの一部を記憶する。
【００５７】
続いて、図７の表示制御装置１がＷｅｂコンテンツを各端末２Ａ〜２Ｃに表示させる動作について説明する。
【００５８】
表示制御装置１は、取得したＷｅｂコンテンツに含まれるＨＴＭＬデータ、ＣＳＳデータを記憶部１７に格納し、ＪａｖａＳｃｒｉｐｔをスクリプト実行部１５に送る。
【００５９】
記憶部１７は、ＨＴＭＬデータを解析してツリー状のデータ構造であるＤＯＭに展開して記憶する。通信部１６は、記憶部１７に記憶されたＤＯＭから端末２Ａ〜２Ｃそれぞれに表示させるＷｅｂコンテンツの一部に対応するＤＯＭの部分木を端末２Ａ〜２Ｃに送信する。端末２Ａ〜２Ｃに送信するＤＯＭは、例えばＨＴＭＬデータのタグで指定した属性に基づいて決定する。端末２Ａ〜２Ｃは、表示制御装置１からＤＯＭを受信して記憶部２６に格納するとともに、表示部２２で表示する。表示制御装置１は、端末２Ａ〜２ＣにＤＯＭを送信したり、端末２Ａ〜２Ｃが保持するＤＯＭを削除することで、端末２Ａ〜２Ｃの表示を制御する。あるいは端末２Ａ〜２Ｃが保持するＤＯＭのエレメントの属性を変更して表示を制御する。
【００６０】
スクリプト実行部１５が記憶部１７のＤＯＭのエレメントにアクセスする際には、アクセス対象のＤＯＭのエレメントを保持する端末２Ａ〜２Ｃに通知して端末２Ａ〜２Ｃ自身が保持するＤＯＭのエレメントにアクセスさせる。エレメントに対するアクセスに戻り値がある場合は戻り値を端末２Ａ〜２Ｃから受け取る。
【００６１】
また、端末２Ａ〜２Ｃでイベントが発生した場合、端末２Ａ〜２Ｃからイベントの発生通知を受信し、記憶部１７のＤＯＭでイベントを発生させて登録されたコールバック関数を実行させる。端末２Ａ〜２Ｃには、ＤＯＭのエレメントでイベントが発生したときに発生したイベントの種別とイベントが発生したエレメントの識別子を表示制御装置１へ通知する機能を備えさせる。
【００６２】
ここで図７の表示制御装置１による表示制御について具体例を用いて説明する。各端末２Ａ〜２Ｃには、図２で示したスライドのコンテンツが送信されているものとする。
【００６３】
図２の端末２Ｃにおいてスライド２０１の戻るボタン２０２がクリックされた場合、端末２Ｃの戻るボタン２０２のエレメントにおいて mousedown イベントが発生する。端末２Ｃは、戻るボタン２０２のエレメントで mousedown イベントが発生したことを表示制御装置１に通知する。表示制御装置１は、端末２Ｃから mousedown イベントの発生通知を受信すると、記憶部１７の戻るボタン２０２のエレメントに登録されたコールバック関数をスクリプト実行部１５に実行させ、図４を用いて説明した表示の更新処理を行う。スライドを戻す操作は、基準となる表示位置から離れる方向に移動する操作であるので、数秒待機後に、端末２Ｃに新たなページのＤＯＭが送信されて、端末２Ｃの表示が更新される。なお、進むボタン２０３が操作された場合は、基準となる表示位置に近づく方向に移動する操作であるので、すぐに端末２Ｃに新たなページのＤＯＭが送信されて、端末２Ｃの表示が更新される。
【００６４】
以上説明したように、本実施の形態によれば、各端末２Ａ〜２Ｃで表示されているコンテンツの表示を制御するシステムにおいて、大多数の端末２Ａ〜２Ｃで表示されている基準となる表示位置から表示位置が離れる操作がされた場合、基準となる表示位置へ近づける操作に比べて表示位置の移動を遅くすることにより、他の大多数のユーザが閲覧している箇所を容易に把握可能とすることが可能となる。
【符号の説明】
【００６５】
１…表示制御装置
１１…登録部
１２…管理部
１３…基準判定部
１４…表示更新部
１５…スクリプト実行部
１６…通信部
１７…記憶部
２Ａ〜２Ｃ…端末
２１…入力部
２２…表示部
２３…通信部
２４…受信部
２５…通知部
２６…記憶部
【図１】
0005960736.tif 000002
【図２】
0005960736.tif 000003
【図３】
0005960736.tif 000004
【図４】
0005960736.tif 000005
【図５】
0005960736.tif 000006
【図６】
0005960736.tif 000007
【図７】
0005960736.tif 000008